(57)【要約】【課題】使用性を向上させることができる冷蔵庫を提供することを目的とする。【解決手段】冷蔵室２（貯蔵室）を開閉する扉２ａの内面側に貯蔵物を収納するドアポケット４０を取り付けた冷蔵庫において、ドアポケット４０は、貯蔵物が載置される底面部４３と、底面部４３の上方に配されて扉２ａを開いた状態で正面となる前面部４２とを有し、底面部４３及び前面部４２をそれぞれ独立に上下方向にスライド自在にした。【選択図】図３
2013108638.tif 000002
【特許請求の範囲】
【請求項１】
貯蔵室を開閉する扉の内面側に貯蔵物を収納するドアポケットを取り付けた冷蔵庫において、
前記ドアポケットは、貯蔵物が載置される底面部と、前記底面部の上方に配されて前記扉を開いた状態で正面となる前面部とを有し、
前記底面部及び前記前面部をそれぞれ独立に上下方向にスライド自在にしたことを特徴とする冷蔵庫。
【請求項２】
前記扉の内面の左右端部から前記貯蔵室内に突出するドアライナーの互いの対向面に上下方向に延びて形成される複数のガイド溝と、前記ガイド溝から前後方向に延びて上下に並設される複数の係止溝とを設けるとともに、
前記底面部及び前記前面部の両側面からそれぞれ突出する摺動ピンを設け、前記摺動ピンが前記ガイド溝に嵌合して摺動するとともに前記係止溝に係止されることを特徴とする請求項１に記載の冷蔵庫。
【請求項３】
前記前面部に係合する前記係止溝が前記ガイド溝に対して前方に延びるとともに、前記底面部に係合する前記係止溝が前記ガイド溝に対して後方に延びることを特徴とする請求項２に記載の冷蔵庫。
【請求項４】
前記底面部に設けられる前記摺動ピンが前後に並設され、前後の前記摺動ピンがそれぞれ異なる前記ガイド溝に嵌合することを特徴とする請求項２または請求項３に記載の冷蔵庫。
【請求項５】
前記前面部が棒状部材から成り、前記棒状部材の両先端部によって前記摺動ピンを形成したことを特徴とする請求項２から請求項４のいずれかに記載の冷蔵庫。
【請求項６】
前記前面部が板状部材から成り、前記前面部に設けられる前記摺動ピンが上下に並設され、上下の前記摺動ピンがそれぞれ同じ前記ガイド溝に嵌合することを特徴とする請求項２から請求項４のいずれかに記載の冷蔵庫。
【発明の詳細な説明】
【技術分野】
【０００１】
本発明は、貯蔵室を開閉する扉の内面側に貯蔵物を収納するドアポケットを取り付けた冷蔵庫に関する。
【背景技術】
【０００２】
従来の冷蔵庫は特許文献１に開示されている。冷蔵庫は上部に冷蔵室が配され、冷蔵室の下方には製氷室及び第１冷凍室が左右に並設される。製氷室及び第１冷凍室の下方には第２冷凍室が配され、第２冷凍室の下方に野菜室が配されている。
【０００３】
冷蔵室は回動式の扉により開閉される。扉の内面側には貯蔵物を収納する複数のドアポケットが取り付けられている。ドアポケットは、貯蔵物が載置される底面部と、底面部の上方に配されて扉を開いた状態で正面となる前面部とを有している。前面部及び底面部は互いに結合して一体に形成され、断面Ｌ字状に形成されている。
【０００４】
扉の内面の左右端部には冷蔵室内に突出するドアライナーが設けられている。ドアライナーの互いの対向面にはガイド枠が上下方向に延びて凹設されている。ガイド枠はレール部と受け部とを有する。レール部にはドアポケットの両側面に突設されたローラが嵌合する。これにより、レール部はドアポケットを摺動案内する。また、受け部はレール部に面して開口する溝を上下に並設して形成され、ドアポケットの外側面に設けられた支持部と係合する。これにより、ドアポケットが係止される。
【０００５】
ドアポケットの外側面には回動する操作部が設けられている。操作部は支持部に連結されている。使用者が操作部を回動操作することにより支持部と受け部との係脱が行われる。
【０００６】
これにより、ドアポケットを上下方向にスライド移動させることができる。従って、ドアポケットを扉から取り外すことなくドアポケットの高さを調整することができ、使い勝手を向上させることができる。
【先行技術文献】
【特許文献】
【０００７】
【特許文献１】特開２０１０−１８５６２８号公報（第４頁〜第６頁、図１〜図８）
【発明の概要】
【発明が解決しようとする課題】
【０００８】
しかしながら、従来の冷蔵庫によると、ドアポケットの前面部の上端から底面部までの距離が短いと、背の高い貯蔵物をドアポケットに収納した際に貯蔵物が前方に倒れて落下するおそれがある。
【０００９】
また、ドアポケットの前面部の上端から底面部までの距離が長いと、背の低い貯蔵物を収納した際に上方に無駄なスペースが生じるとともに、前面部に隠れて貯蔵物を取り出しにくくなる。従って、冷蔵庫の使用性が悪いという問題があった。
【００１０】
本発明は、使用性を向上させることができる冷蔵庫を提供することを目的とする。
【課題を解決するための手段】
【００１１】
上記目的を達成するために本発明は、貯蔵室を開閉する扉の内面側に貯蔵物を収納するドアポケットを取り付けた冷蔵庫において、前記ドアポケットは、貯蔵物が載置される底面部と、前記底面部の上方に配されて前記扉を開いた状態で正面となる前面部とを有し、前記底面部及び前記前面部をそれぞれ独立に上下方向にスライド自在にしたことを特徴としている。
【００１２】
この構成によると、ドアポケットの底面部には貯蔵物が載置される。ドアポケットの前面部は貯蔵物の落下を防止する。これにより、貯蔵物がドアポケット内に収納される。そして、貯蔵物の高さに応じて底面部及び前面部の両方又は一方を上下方向にスライド移動させることができる。
【００１３】
また本発明は、上記構成の冷蔵庫において、前記扉の内面の左右端部から前記貯蔵室内に突出するドアライナーの互いの対向面に上下方向に延びて形成される複数のガイド溝と、前記ガイド溝から前後方向に延びて上下に並設される複数の係止溝とを設けるとともに、前記底面部及び前記前面部の両側面からそれぞれ突出する摺動ピンを設け、前記摺動ピンが前記ガイド溝に嵌合して摺動するとともに前記係止溝に係止されることが好ましい。
【００１４】
この構成によると、ガイド溝はドアポケットの底面部及び前面部の摺動ピンを摺動案内する。ドアポケットの底面部及び前面部の両側面からそれぞれ突出した摺動ピンが係止溝に係止されると底面部及び前面部が係止される。
【００１５】
また本発明は、上記構成の冷蔵庫において、前記前面部に係合する前記係止溝が前記ガイド溝に対して前方に延びるとともに、前記底面部に係合する前記係止溝が前記ガイド溝に対して後方に延びるとより好ましい。
【００１６】
この構成によると、ドアポケットの前面部に設けた摺動ピンはガイド溝に対して前方に延びる係止溝に係止される。また、ドアポケットの底面部に設けた摺動ピンはガイド溝に対して後方に延びる係止溝に係止される。
【００１７】
また本発明は、上記構成の冷蔵庫において、前記底面部に設けられる前記摺動ピンが前後に並設され、前後の前記摺動ピンがそれぞれ異なる前記ガイド溝に嵌合すると好ましい。
【００１８】
また本発明は、上記構成の冷蔵庫において、前記前面部が棒状部材から成り、前記棒状部材の両先端部によって前記摺動ピンを形成すると好ましい。
【００１９】
また本発明は、上記構成の冷蔵庫において、前記前面部が板状部材から成り、前記前面部に設けられる前記摺動ピンが上下に並設され、上下の前記摺動ピンがそれぞれ同じ前記ガイド溝に嵌合すると好ましい。
【発明の効果】
【００２０】
本発明によると、貯蔵室を開閉する扉の内面側に取り付けられて貯蔵物を収納するドアポケットは、貯蔵物が載置される底面部と、底面部の上方に配されて扉を開いた状態で正面となる前面部とを有し、底面部及び前面部をそれぞれ独立に上下方向にスライド自在にしている。これにより、ドアポケットを扉から取り外すことなくドアポケットの高さを調整することができる。従って、ドアポケットの高さ調整の際にドアポケットの落下を防止できる。
【００２１】
また、貯蔵物の高さに応じて前面部の上端から底面部までの距離を変えることができる。従って、背の高い貯蔵物の落下を防止するとともに、背の低い貯蔵物を容易に取り出すことができ、冷蔵庫の使用性を向上させることができる。
【図面の簡単な説明】
【００２２】
【図１】本発明の第１実施形態の冷蔵庫を示す正面図
【図２】本発明の第１実施形態の冷蔵庫を示す右側面断面図
【図３】本発明の第１実施形態の冷蔵庫の冷蔵室の扉を冷蔵室内側から見た斜視図
【図４】本発明の第１実施形態の冷蔵庫の冷蔵室の扉を冷蔵室内側から見た正面図
【図５】図４のＡ矢視図
【図６】本発明の第１実施形態の冷蔵庫のドアポケットの前面部を示す平面図
【図７】本発明の第１実施形態の冷蔵庫の最下段のドアポケットの前面部を示す平面  図
【図８】本発明の第１実施形態の冷蔵庫のドアポケットの底面部を示す平面図
【図９】図３に示したドアポケットの前面部及び底面部をスライド移動させた後の態を示す斜視図
【図１０】本発明の第２実施形態の冷蔵庫の冷蔵室の扉を冷蔵室内側から見た斜視図
【図１１】本発明の第２実施形態の冷蔵庫の冷蔵室の扉を冷蔵室内側から見た正面図
【図１２】図１１のＢ矢視図
【図１３】本発明の第２実施形態の冷蔵庫のドアポケットの前面部を示す正面図
【図１４】本発明の第２実施形態の冷蔵庫の最下段のドアポケットの前面部を示す正面図
【発明を実施するための形態】
【００２３】
以下に本発明の実施形態を図面を参照して説明する。図１、図２は第１実施形態の冷蔵庫を示す正面図及び右側面断面図である。冷蔵庫１は上部に冷蔵室２が配され、冷蔵室２の下方には製氷室４及び第１冷凍室３が左右に並設される。製氷室４及び第１冷凍室３の下方には第２冷凍室５が配され、第２冷凍室５の下方に野菜室６が配されている。
【００２４】
冷蔵室２は回動式の扉２ａにより開閉され、貯蔵物を冷蔵保存する。扉２ａの内面側には３つのドアポケット４０、４１が上下方向に並設される。最下段のドアポケット４１は底面部４５が固定される。上方の２つのドアポケット４０は可動になっている。ドアポケット４０、４１には貯蔵物が収納される。上方のドアポケット４０は１つでもよいし、３つ以上設けてもよい。なお、ドアポケット４０、４１の詳細については後述する。
【００２５】
第１冷凍室３、製氷室４及び第２冷凍室５は連通して氷点以下に維持される。第１冷凍室３及び第２冷凍室５は収納ケース（不図示）と一体の引き出し式の扉３ａ、５ａにより開閉され、貯蔵物を冷凍保存する。第２冷凍室５の容積は第１冷凍室３よりも大きく、貯蔵物をより多く冷凍保存できる。製氷室４は回動式の扉４ａにより開閉され、氷を製氷して貯氷する。野菜室６は収納ケース（不図示）と一体の引き出し式の扉６ａにより開閉され、冷蔵室２よりも高い室内温度（約８℃）で野菜を冷却保存する。
【００２６】
第２冷凍室５の背後には背面板５ｂで仕切られた冷気通路３１が設けられる。冷気通路３１は冷蔵室２の背後に配された冷気通路３２に冷蔵室ダンパ（不図示）を介して連通する。冷気通路３１内には冷却器１１が配される。冷却器１１は機械室９に配された圧縮機１０に接続される。圧縮機１０の駆動によりイソブタン等の冷媒が凝縮器（不図示）、膨張器（不図示）及び冷却器１１を循環して冷凍サイクルが運転される。これにより、冷却器１１が冷凍サイクルの低温側となる。
【００２７】
冷凍サイクルの低温側となる冷却器１１と冷気通路３１を流通する空気とが熱交換して冷気が生成される。生成された冷気により各貯蔵室が冷却される。冷却器１１が第２冷凍室５の背面側に配されるため、冷却器１１の冷熱が背面板５ｂを介して第２冷凍室５側へ放出される。このため、第２冷凍室５が効率よく冷却され、冷却効率を向上することができる。
【００２８】
図３及び図４は冷蔵室２の扉２ａを冷蔵室２内側から見た斜視図及び正面図を示している。扉２ａの背面には樹脂成型品の内面板２１が配される。内面板２１により扉２ａの背面が覆われる。内面板２１はドアポケット４０、４１の背面部を形成する。
【００２９】
内面板２１の左右端部には冷蔵室２内に突出して上下に延びるドアライナー２３ａ、２３ｂが形成される。ドアライナー２３ａ、２３ｂはドアポケット４０、４１の側面を覆う。
【００３０】
また、内面板２１の上下端部には冷蔵室２内に突出する凸部２８ａ、２８ｂが形成される。凸部２８ａ、２８ｂはドアライナー２３ａ、２３ｂと連続して形成される。凸部２８ａ、２８ｂ及びドアライナー２３ａ、２３ｂによって内面板２１の歪みが防止される。なお、下方の凸部２８ｂは最下段のドアポケット４１の底面部４５を形成する。
【００３１】
内面板２１の周部には環状のパッキン（不図示）が設けられる。パッキンは可撓性の樹脂等から成り、内面板２１に設けた係合孔２２（図５参照）に突起部（不図示）が係合して取り付けられる。パッキンにはマグネット（不図示）が内装され、マグネットによりパッキンが冷蔵室２の周囲に密着して冷蔵室２内が密閉される。なお、パッキンを設けずに弾性を有する内面板２１が冷蔵室２の周囲に密着する扉２ａであってもよい。
【００３２】
上から１段目及び２段目のドアポケット４０は底面部４３と前面部４２とを有する。底面部４３は板状の透明な樹脂成型品により形成される。前面部４２はアルミニウムやステンレス等の断面円形の棒状部材から成る。
【００３３】
最下段のドアポケット４１は凸部２８ｂから成る底面部４５と前面部４４とを有する。前面部４４はドアポケット４０の前面部４２と同様にアルミニウムやステンレス等の断面円形の棒状部材から成る。
【００３４】
底面部４３、４５の前端部（冷蔵室２内側）に上方に突出するリブを設けてもよい。これにより、貯蔵物の落下を確実に防止できる。
【００３５】
前面部４２、４４は底面部４３、４５の上方に配され、扉２ａを開いた状態で正面となる。なお、前面部４２、４４を構成する棒状部材の断面形状に特に限定はなく、楕円形状や多角形状でもよい。また、前面部４２、４４を構成する棒状部材を樹脂成型品により形成してもよい。
【００３６】
前面部４２、４４により貯蔵物がドアポケット４０、４１から落下することを防止できる。また、前面部４２、４４は棒状部材により形成されるため、使用者はドアポケット４０、４１内の貯蔵物を容易に認識できる。
【００３７】
底面部４３には食品や飲料等の貯蔵物Ｓ１、Ｓ２が載置される。貯蔵物Ｓ１は例えばジャムなどの背の低い貯蔵物である。貯蔵物Ｓ２は例えばビールのロング缶（５００ｍＬ）等の背の高い貯蔵物である。また、凸部２８ｂから成る底面部４５には貯蔵物Ｓ３が載置される。貯蔵物Ｓ３は例えばビール瓶（大瓶）やペットボトル（２Ｌ）等の背の高い貯蔵物である。
【００３８】
なお、貯蔵物Ｓ１〜Ｓ３の収納場所は特に限定されない。例えば、貯蔵物Ｓ１、Ｓ２を最下段のドアポケット４１に収納してもよく、貯蔵物Ｓ３を上方のドアポケット４０に収納してもよい。
【００３９】
図５は、図４のＡ矢視図を示している。破線Ｆ１は上から１段目のドアポケット４０の前面部４２の断面外形を示し、破線Ｂ１は上から１段目のドアポケット４０の底面部４３の断面外形を示している。また、破線Ｆ２は上から２段目のドアポケット４０の前面部４２の断面外形を示し、破線Ｂ２は上から２段目のドアポケット４０の底面部４３の断面外形を示している。また、破線Ｆ３は最下段のドアポケット４１の前面部４４の断面外形を示している。
【００４０】
ドアライナー２３ａ及びドアライナー２３ｂの互いの対向面には同一形状の前側ガイド溝５０及び後側ガイド溝５１が設けられる。前側ガイド溝５０はドアライナー２３ａの前部（冷蔵室２の室内側）に上下方向に延びて凹設され、ドアポケット４０、４１に対応して上下方向に３つ設けられる。
【００４１】
後側ガイド溝５１は前側ガイド溝５０の後方に上下方向に延びて凹設され、前後方向に２列設けられる。また、後側ガイド溝５１はドアポケット４０に対応して上下方向に２つ設けられる。各後側ガイド溝５１の上端は対応する前側ガイド溝５０の下端近傍に設けられるが、前側ガイド溝５０の下端よりも上方に設けてもよい。
【００４２】
前側ガイド溝５０からは３つの前側係止溝６０が前方に延びて凹設される。この時、３つの前側係止溝６０は互いに所定の間隔を空けて上下方向に並設される。
【００４３】
これにより、後述する前面部４２の摺動ピン４２ａを前側係止溝６０に係止できる。この時、前側係止溝６０の前端部は下方に向かって屈曲している。このため、前側係止溝６０からの摺動ピン４２ａの脱落を防止できる。なお、前側係止溝６０が前側ガイド溝５０から屈曲せずに直線状に延びていても摺動ピン４２ａを係止できる。ただし、前側係止溝６０の前端部が下方に向かって屈曲しているほうが摺動ピン４２ａを前側係止溝６０により確実に係止できるので望ましい。
【００４４】
後側ガイド溝５１からは３つの後側係止溝６１が後方に延びて凹設される。この時、３つの後側係止溝６１は互いに所定の間隔を空けて上下方向に並設される。
【００４５】
これにより、後述する底面部４３の摺動ピン４３ａを後側係止溝６１に係止できる。この時、後側係止溝６１の後端部は下方に向かって屈曲している。このため、後側係止溝６１からの摺動ピン４３ａの脱落を防止できる。なお、後側係止溝６１が後側ガイド溝５１から屈曲せずに直線状に延びていても摺動ピン４３ａを係止できる。ただし、後側係止溝６１の後端部が下方に向かって屈曲しているほうが摺動ピン４３ａを後側係止溝６１により確実に係止できるので望ましい。
【００４６】
また、上下に隣接する２つの前側係止溝６０間の距離と上下に隣接する２つの後側係止溝６１間の距離は同じになっている。なお、この距離は異なっていてもよい。
【００４７】
図６及び図７は前面部４２、４４の平面図を示している。前面部４２、４４の本体４２ｂ、４４ｂの両側面にはそれぞれ断面円形の摺動ピン４２ａ、４４ａが突設されている。なお、本体４２ｂ、４４ｂと摺動ピン４２ａ、４４ａとを同一径に形成し、前面部４２、４４の両先端部によって摺動ピン４２ａ、４４ａを形成してもよい。
【００４８】
摺動ピン４２ａ、４４ａは前側ガイド溝５０及び前側係止溝６０に嵌合する。これにより、前面部４２、４４が前側ガイド溝５０に摺動案内され、前面部４２、４４は上下方向にスライド移動できる。また、前面部４２、４４は前側係止溝６０に係止される。なお、摺動ピン４２ａ、４４ａの断面形状は楕円形や多角形でもよい。
【００４９】
図８は底面部４３の平面図を示している。底面部４３の両側面には断面円形の摺動ピン４３ａがそれぞれ２つ前後に並んで突設される。摺動ピン４３ａは後側ガイド溝５１及び後側係止溝６１に嵌合する。これにより、底面部４３が後側ガイド溝５１に摺動案内され、底面部４３は上下方向にスライド移動できる。また、底面部４３は後側係止溝６１に係止される。
【００５０】
この時、前後の摺動ピン４３ａは２列に配される後側ガイド溝５１にそれぞれ嵌合する。これにより、底面部４３に貯蔵物を載置した状態でも安定してスライド移動できる。なお、摺動ピン４３ａの断面形状は楕円形や多角形でもよい。また、摺動ピン４３ａを底面部４３の両側面にそれぞれ３つ以上設けてもよい。この場合、摺動ピン４３ａの数に合わせて後側ガイド溝５１を設けるとよい。
【００５１】
底面部４３及び前面部４２は互いに分離されて別体となっているため、底面部４３及び前面部４２はそれぞれ独立に上下方向にスライド自在となっている。スライド移動後、前面部４２及び底面部４３の摺動ピン４２ａ、４３ａが前側係止溝６０、後側係止溝６１に係止される。これにより、前面部４２及び底面部４３がドアライナー２３ａ、２３ｂによって支持される。
【００５２】
前述したように、前側係止溝６０は前側ガイド溝５０に対して前方に延びている。これにより、扉２ａを開閉する際に、ドアポケット４０、４１に収納された貯蔵物Ｓ１〜Ｓ３が前面部４２に衝突した場合でも摺動ピン４２ａは前側係止溝６０の前端部に係止される。従って、前面部４２が前側係止溝６０から外れることを防止できる。
【００５３】
また、前述したように、後側係止溝６１は後側ガイド溝５１に対して後方に延びている。これにより、底面部４３が後側係止溝６１に係合した際に底面部４３と内面板２１との間の隙間を減らすことができる。従って、隙間からの貯蔵物の落下を防止することができる。
【００５４】
上記構成の冷蔵庫１において、冷却器１１で生成された冷気は冷凍室送風機（不図示）の駆動により冷気通路３１を流通して製氷室４、第１冷凍室３及び第２冷凍室５に送出される。該冷気は製氷室４、第１冷凍室３及び第２冷凍室５を流通し、戻り口（不図示）を介して冷却器１１に戻る。これにより、製氷室４、第１冷凍室３及び第２冷凍室５が冷却され、貯蔵物及び氷を冷凍保存する。なお、冷却器１１は圧縮機１０の駆動によって低温となるので着霜する。このため、所定の周期で除霜運転が行われる。
【００５５】
冷蔵室ダンパ（不図示）の開成により冷気通路３１を流通する冷気の一部は冷気通路３２に導かれ、冷気吐出口（不図示）を介して冷蔵室２に送出される。これにより、冷蔵室２が冷却され、貯蔵物を冷蔵保存する。また、冷蔵室ダンパの開閉や圧縮機１０のオンオフ制御により冷蔵室２へ流入する冷気量が調整される。これにより、冷蔵室２内の温度は例えば約１℃〜５℃に維持される。冷蔵室２を流通した冷気は連通路（不図示）を流通して野菜室６に流入し、野菜を冷却保存する。その後、戻り通路（不図示）を介して冷却器１１に戻る。
【００５６】
冷蔵室２内に流入した冷気の一部はドアポケット４０、４１へ向かう。この時、ドアポケット４０、４１の前面部４２、４４は棒状部材から成っている。これにより、ドアポケット４０、４１内に冷気が流入しやすくなる。従って、ドアポケット４０、４１内の貯蔵物Ｓ１〜Ｓ３を効率よく冷却することができる。
【００５７】
図９は、図３に示したドアポケット４０の前面部４２及び底面部４３をスライド移動させた後の状態を示した斜視図である。図３の状態から、上から２段目のドアポケット４０の前面部４２を把持して上方向にスライド移動させて最上段の前側係止溝６０に係合させる。また、上から２段目のドアポケット４０の底面部４３を把持して上方向にスライド移動させて最上段の後側係止溝６１に係合させる。
【００５８】
これにより、背の高い貯蔵物Ｓ２を収納した状態で上から２段目のドアポケット４０の高さを図３の状態よりも高い位置に調整できる。また、図３の状態よりも前面部４２の上端から底面部４３までの距離を長くすることができる。従って、貯蔵物Ｓ２が前方に倒れて落下することを防止でき、冷蔵庫１の使用性を向上させることができる。
【００５９】
また、図３の状態から、上から１段目のドアポケット４０の前面部４２を把持して上方向にスライド移動させて中段の前側係止溝６０に係合させる。また、上から１段目のドアポケット４０の底面部４３を把持して上方向にスライド移動させて最上段の後側係止溝６１に係合させる。
【００６０】
これにより、背の低い貯蔵物Ｓ１を収納した状態で上から１段目のドアポケット４０の高さを図３の状態よりも高い位置に調整できる。また、図３の状態よりも前面部４２の上端から底面部４３までの距離を短くすることができる。これにより、背の低い貯蔵物Ｓ１を収納した際に上方に無駄なスペースが生じない。また、貯蔵物Ｓ１を容易に取り出すことができる。従って、冷蔵庫１の使用性を向上させることができる。
【００６１】
図３の状態から、最下段のドアポケット４１の前面部４４を把持して上方向にスライド移動させて中段の前側係止溝６０に係合させる。これにより、図３の状態よりも前面部４４の上端から底面部４５までの距離を長くすることができる。従って、貯蔵物Ｓ３が前方へ倒れて落下することを防止でき、冷蔵庫１の使用性を向上させることができる。
【００６２】
本実施形態によると、冷蔵室２（貯蔵室）を開閉する扉２ａの内面側に貯蔵物を収納するドアポケット４０を取り付けた冷蔵庫１において、ドアポケット４０は、貯蔵物が載置される底面部４３と、底面部４３の上方に配されて扉２ａを開いた状態で正面となる前面部４２とを有し、底面部４３及び前面部４２をそれぞれ独立に上下方向にスライド自在にしている。
【００６３】
これにより、ドアポケット４０を扉２ａから取り外すことなくドアポケット４０の高さを調整することができる。従って、ドアポケット４０の高さ調整の際にドアポケット４０の落下を防止できる。
【００６４】
また、貯蔵物の高さに応じて前面部４２の上端から底面部４３までの距離を変えることができる。従って、背の高い貯蔵物の落下を防止するとともに、背の低い貯蔵物を容易に取り出すことができ、冷蔵庫１の使用性を向上させることができる。
【００６５】
また、扉２ａの内面の左右端部から冷蔵室２内に突出するドアライナー２３ａ、２３ｂの互いの対向面に上下方向に延びて形成される複数の前側ガイド溝５０及び後側ガイド溝５１と、前側ガイド溝５０及び後側ガイド溝５１から前後方向に延びて上下に並設される複数の前側係止溝６０及び後側係止溝６１とを設けるとともに、前面部４２及び底面部４３の両側面からそれぞれ突出する摺動ピン４２ａ、４３ａを設け、摺動ピン４２ａ、４３ａが前側ガイド溝５０及び後側ガイド溝５１に嵌合して摺動するとともに前側係止溝６０及び後側係止溝６１に係止される。これにより、簡素な構成でドアポケット４０の底面部４３及び前面部４２をスライド移動させることができるとともに簡単に係止することができる。従って、冷蔵庫１の製造コストを削減することができる。
【００６６】
また、前面部４２に係合する前側係止溝６０が前側ガイド溝５０に対して前方に延びている。これにより、扉２ａを開閉する際に、ドアポケット４０に収納された貯蔵物が前面部４２に衝突した場合でも摺動ピン４２ａは前側係止溝６０の前端部に係止される。従って、前面部４２が前側係止溝６０から外れることを防止できる。
【００６７】
また、底面部４３に係合する後側係止溝６１が後側ガイド溝５１に対して後方に延びている。これにより、底面部４３が後側係止溝６１に係合した際に底面部４３と扉２ａの内面板２１との間の隙間を減らすことができる。従って、隙間からの貯蔵物の落下を防止することができる。
【００６８】
また、底面部４３に設けられる摺動ピン４３ａが前後に並設され、前後の摺動ピン４３ａがそれぞれ異なる後側ガイド溝５１に嵌合するので、貯蔵物を載置した状態でも安定してスライド移動できる。
【００６９】
次に、第２実施形態について説明する。図１０及び図１１は本実施形態の冷蔵室２の扉２ａを冷蔵室２内側から見た斜視図及び正面図を示している。説明の便宜上、第１実施形態と同様の部分には同一の符号を付している。本実施形態はドアポケット４０、４１の前面部４６、４８が板状部材により形成されている点が第１実施形態と異なっている。その他の部分は第１実施形態と同様である。
【００７０】
前面部４６、４８は透明な樹脂成型品の板状部材から成る。これにより、使用者はドアポケット４０、４１内の貯蔵物を容易に認識できる。また、第１実施形態の棒状部材から成る前面部４２、４４と比較して、貯蔵物の落下をより確実に防止できる。
【００７１】
図１２は、図１１のＢ矢視図である。破線Ｆ４は上から１段目のドアポケット４０の前面部４６の断面外形を示し、破線Ｂ４は上から１段目のドアポケット４０の底面部４３の断面外形を示している。また、破線Ｆ５は上から２段目のドアポケット４０の前面部４６の断面外形を示し、破線Ｂ５は上から２段目のドアポケット４０の底面部４３の断面外形を示している。また、破線Ｆ６は最下段のドアポケット４１の前面部４８の断面外形を示している。本実施形態では、後述する前面部４６、４８の摺動ピン４６ａ、４８ａが係止される前側係止溝６０を上下方向に４つ並設している。
【００７２】
図１３及び図１４は前面部４６、４８の正面図を示している。前面部４６、４８の両側面には断面円形の摺動ピン４６ａ、４８ａがそれぞれ２つずつ突設される。摺動ピン４６ａ、４８ａは前側ガイド溝５０及び前側係止溝６０に嵌合する。これにより、前面部４６、４８が前側ガイド溝５０に摺動案内され、前面部４６、４８は上下方向にスライド移動できる。また、前面部４６、４８は前側係止溝６０に係止される。なお、摺動ピン４６ａ、４８ａの断面形状は楕円形や多角形でもよい。
【００７３】
この時、前面部４６に設けられる摺動ピン４６ａが上下に並設され、上下の摺動ピン４６ａがそれぞれ同じ前側ガイド溝５０に嵌合する。これにより、前面部４６は前後に搖動せず安定してスライド移動することができる。また、上下で隣接する２つの摺動ピン４６ａの中心間の距離は、上下で隣接する２つの前側係止溝６０の中心間の距離と略同じになっている。これにより、前面部４６の４つの摺動ピン４６ａがそれぞれ異なる前側係止溝６０に同時に係止される。従って、前面部４６を確実に係止することができる。
【００７４】
また、前面部４８に設けられる摺動ピン４８ａが上下に並設され、上下の摺動ピン４８ａがそれぞれ同じ前側ガイド溝５０に嵌合する。これにより、前面部４８は前後に搖動せず安定してスライド移動することができる。また、上下で隣接する２つの摺動ピン４８ａの中心間の距離は、上下で隣接する２つの前側係止溝６０の中心間の距離と略同じになっている。これにより、前面部４８の４つの摺動ピン４８ａがそれぞれ異なる前側係止溝６０に同時に係止される。従って、前面部４８を確実に係止することができる。
【００７５】
本実施形態でも第１実施形態と同様な効果を得ることができる。また、ドアポケット４０の前面部４６が板状部材から成るので、第１実施形態よりも貯蔵物の落下をより確実に防止できる。また、前面部４６に設けられる摺動ピン４６ａが上下に並設され、上下の摺動ピン４６ａがそれぞれ同じ前側ガイド溝５０に嵌合する。これにより、簡素な構成で前面部４６を容易にスライド移動させることができる。また、前面部４６は前後に搖動せず安定してスライド移動することができる。
【００７６】
また、前面部４６及び底面部４３をそれぞれ独立してスライド移動させることにより、前面部４６と底面部４３との間に隙間を形成することができる。この隙間を介して冷気がドアポケット４０内に流入できるので、貯蔵物を効率よく冷却することができる。
【００７７】
第１、第２実施形態において、ドアポケット４０、４１を冷蔵室２に設けているが、野菜室６や第２冷凍室５に設けてもよい。
【００７８】
また、最下段のドアポケット４１をドアポケット４０と同様な構成にしてもよい。すなわち、最下段のドアポケット４１の凸部２８ｂから成る底面部４５を可動の底面部４３に替えるとともに、最下段のドアポケット４１の底面部４３の摺動ピン４３ａが嵌合する後側ガイド溝５１及び後側係止溝６１をドアライナー２３ａ、２３ｂに設けてもよい。これにより、最下段のドアポケット４１において底面部４３を上下方向にスライド移動させることができる。この時、内面板２１の歪み防止のため、凸部２８ｂは最下段のドアポケット４１の底面部４３の下方に形成するのが望ましい。
【００７９】
また、前面部４２、４６と底面部４３とを互いに結合して一体に形成してもよい。そして、前面部４２、４６及び底面部４３の両側面からそれぞれ突出する摺動ピンを設け、摺動ピンが前側ガイド溝５０及び後側ガイド溝５１に嵌合して摺動するとともに前側係止溝６０及び後側係止溝６１に係止されるようにしてもよい。これにより、簡素な構成でドアポケット４０を上下方向でスライド移動させることができる。従って、冷蔵庫１の製造コストを削減することができる。
【産業上の利用可能性】
【００８０】
本発明によると、貯蔵室を開閉する扉の内面側に貯蔵物を収納するドアポケットを取り付けた冷蔵庫に利用することができる。
【符号の説明】
【００８１】
１    冷蔵庫
２    冷蔵室
３    第１冷凍室
４    製氷室
５    第２冷凍室
６    野菜室
９    機械室
１０    圧縮機
１１    冷却器
２１    内面板
２２    係合孔
２３ａ、２３ｂ    ドアライナー
４０、４１    ドアポケット
４２、４４、４６、４８    前面部
４３、４５    底面部
４２ａ、４３ａ、４４ａ、４６ａ、４８ａ    摺動ピン
５０    前側ガイド溝
５１    後側ガイド溝
６０    前側係止溝
６１    後側係止溝
【図１】
2013108638.tif 000003
【図２】
2013108638.tif 000004
【図３】
2013108638.tif 000005
【図４】
2013108638.tif 000006
【図５】
2013108638.tif 000007
【図６】
2013108638.tif 000008
【図７】
2013108638.tif 000009
【図８】
2013108638.tif 000010
【図９】
2013108638.tif 000011
【図１０】
2013108638.tif 000012
【図１１】
2013108638.tif 000013
【図１２】
2013108638.tif 000014
【図１３】
2013108638.tif 000015
【図１４】
2013108638.tif 000016